(57)【要約】【課題】コーナー部品に加熱発泡材を設けることなく火災発生時における障子の下辺と縦辺との隙間の閉塞を連続させることのできる開口部装置を提供する。【解決手段】上下枠と左右の縦枠とを枠組みした枠体１内に室内外の障子２，３を納め、障子は上下框と左右の縦框とを框組みしてなる框体４内にパネル体５を納めてなり、下框２１は、外面に下枠１１の面と対向する対向面部２１ｃを有し、対向面部２１ｃに加熱発泡材２１ｄを配置した。下枠１１は障子３を長手方向に案内する突出状のレール部１１ｃを有し、下框２１はレール部１１ｃの上端位置より下方まで垂下された垂下片部２１ａを有し、垂下片部２１ａの外面が対向面部２１ｃを構成すると共に、垂下片部２１ａの長手方向略全長に渡って加熱発泡材２１ｄが配置される。【選択図】図３
2014134022.tif 000002
【特許請求の範囲】
【請求項１】
上下枠と左右の縦枠とを枠組みした枠体内に室内外の障子を納めてなる開口部装置にお
いて、
前記障子は上下框と左右の縦框とを框組みしてなる框体内にパネル体を納めてなり、前
記下框は、前記下枠と対向する対向面部を有し、該対向面部に加熱発泡材を配置したこと
を特徴とする開口部装置。
【請求項２】
前記下枠は前記障子を長手方向に案内する突出状のレール部を有し、前記下框は前記レ
ール部の上端位置より下方まで垂下された垂下片部を有し、該垂下片部の外面が前記対向
面部を構成すると共に、前記垂下片部の長手方向略全長に渡って前記加熱発泡材が配置さ
れることを特徴とする請求項１記載の開口部装置。
【請求項３】
前記下枠は、前記下框の対向面部に向かって開口したポケット部を有し、該ポケット部
に向かって発泡するように前記加熱発泡材が配置されることを特徴とする請求項１または
２記載の開口部装置。
【請求項４】
前記縦框は、向かい合う他方の障子の縦框または縦枠の面に対向する縦対向面部を有し
、該縦対向面部に加熱発泡材が配置され、前記縦対向面部の加熱発泡材は、少なくとも前
記下框の加熱発泡材の水平方向延長位置に配置されていることを特徴とする請求項１〜３
のいずれか１項に記載の開口部装置。
【請求項５】
前記下枠は、前記下框の室内側面に向かって突出状の水平突出面部を長手方向に沿って
有し、該水平突出面部は一部に切欠部を有し、該切欠部と前記縦框の加熱発泡材は少なく
とも一部が向かい合うことを特徴とする請求項４記載の開口部装置。
【発明の詳細な説明】
【技術分野】
【０００１】
本発明は、建物開口部に設けられる枠体内に障子を納めた開口部装置に関し、特に火災
発生時に障子の室内側面と枠体との隙間を加熱発泡材により充填するようにして防火性能
を高めた開口部装置に関する。
【背景技術】
【０００２】
開口部装置として、建物開口部に設けられる枠体内に内外障子を納めた引き違いサッシ
が広く用いられている。引き違いサッシにおいて、防火性能が求められることがあり、こ
の場合には、障子と枠体の間に加熱発泡材を設け、火災時には加熱発泡材が膨張すること
により、障子と枠体の間に生じる隙間を塞ぎ、室内外で熱や炎が貫通しないようにしてい
る。
【０００３】
引き違いサッシの場合には、下枠に形成されるレール部に対し障子に設けられる戸車が
載置されるが、火災時には戸車は溶融するため、障子はレール部を跨いだまま下枠内周面
側に接近する。この場合に下枠と障子との間の隙間を塞ぐため、障子を構成する下框には
、レール部と対向するように加熱発泡材が配置されるのが一般的である。このようにする
ことで、火災時にはレール部と下框の間が閉塞される。このような開口部装置としては、
例えば特許文献１に挙げるようなものがある。
【先行技術文献】
【特許文献】
【０００４】
【特許文献１】特開２０１２−１４４８６６号公報
【発明の概要】
【発明が解決しようとする課題】
【０００５】
引き違いサッシにおいて、火災時には内外障子間の領域、すなわち障子を構成する内外
の召合わせ框間の領域についても、閉塞する必要がある。障子の縦方向における隙間の閉
塞と、障子の下辺における隙間の閉塞とは、連続させないと隙間が塞がれないので、従来
は下框と召合わせ框との連結部分に設けられるコーナー部品にも加熱発泡材を設ける必要
があった。
【０００６】
コーナー部品に加熱発泡材を取付けるためには、それを保持するための形状をコーナー
部品に形成するなどする必要があり、コーナー部品の構造を複雑にする原因となっていた
。
【０００７】
本発明は前記課題を鑑みてなされたものであり、火災発生時に障子と下枠との間に生じ
る隙間を効率的に閉塞することのできる開口部装置を提供することを目的とする。
【課題を解決するための手段】
【０００８】
前記課題を解決するため、請求項１の発明に係る開口部装置は、上下枠と左右の縦枠と
を枠組みした枠体内に室内外の障子を納めてなる開口部装置において、
前記障子は上下框と左右の縦框とを框組みしてなる框体内にパネル体を納めてなり、前
記下框は、前記下枠と対向する対向面部を有し、該対向面部に加熱発泡材を配置したこと
を特徴として構成されている。
【０００９】
請求項１に係る発明によれば、下框に下枠と対向する加熱発泡材を設けたので、火災発
生時に下枠と下框の間の隙間を塞ぐことができると共に、召合わせ部分を塞ぐ縦方向の加
熱発泡材と下框の加熱発泡材とを連続させることができる。
【００１０】
また、請求項２の発明に係る開口部装置は、前記下枠は前記障子を長手方向に案内する
突出状のレール部を有し、前記下框は前記レール部の上端位置より下方まで垂下された垂
下片部を有し、該垂下片部の外面が前記対向面部を構成すると共に、前記垂下片部の長手
方向略全長に渡って前記加熱発泡材が配置されることを特徴として構成されている。
【００１１】
請求項２に係る発明によれば、垂下片部と下枠の間が充填されるので、垂下片部と下枠
の間に隙間があっても、加熱発泡材により室内外が連通しないようにすることができる。
これによって、垂下片部の下方を回り込むように外れ止め部品などを設けることができ、
垂下片部に切欠加工などを不要とすることができる。
【００１２】
さらに、請求項３の発明に係る開口部装置は、前記下枠は、前記下框の対向面部に向か
って開口したポケット部を有し、該ポケット部に向かって発泡するように前記加熱発泡材
が配置されることを特徴として構成されている。
【００１３】
請求項３に係る発明によれば、火災発生時には加熱発泡材によりポケット部が充填され
て、室内外が確実に閉塞されるようにすることができると共に、障子の戸車が溶融した場
合に、ポケット部に充填された加熱発泡材によって溶融樹脂材料から発生する可燃ガスの
流通を防止することができる。
【００１４】
さらにまた、請求項４の発明に係る開口部装置は、前記縦框は、向かい合う他方の障子
の縦框または縦枠の面に対向する縦対向面部を有し、該縦対向面部に加熱発泡材が配置さ
れ、前記縦対向面部の加熱発泡材は、少なくとも前記下框の加熱発泡材の水平方向延長位
置に配置されていることを特徴として構成されている。
【００１５】
請求項４に係る発明によれば、縦框の加熱発泡材と下框の加熱発泡材とを框体のコーナ
ー部分で連続させることができるので、加熱発泡材を有したコーナー部品などを設ける必
要がないようにすることができる。
【００１６】
そして、請求項５の発明に係る開口部装置は、前記下枠は、前記下框の室内側面に向か
って突出状の水平突出面部を長手方向に沿って有し、該水平突出面部は一部に切欠部を有
し、該切欠部と前記縦框の加熱発泡材は少なくとも一部が向かい合うことを特徴として構
成されている。
【００１７】
請求項５に係る発明によれば、火災発生時に縦框の加熱発泡材が水平突出面部に遮られ
ることなく下枠に向かって発泡するので、火災時の早期に召合わせ下端部を閉塞でき、加
熱面側で発生した可燃ガスが室内外に流通することを防止することができる。
【発明の効果】
【００１８】
本発明に係る開口部装置によれば、火災発生時に障子と下枠との間に生じる隙間を効率
的に閉塞し、防火性能を向上させることができる。
【図面の簡単な説明】
【００１９】
【図１】本実施形態の開口部装置としての引き違いサッシの縦断面図である。
【図２】本実施形態の開口部装置としての引き違いサッシの横断面図である。
【図３】図１のうち下枠及び下框付近の拡大図である。
【図４】図２のうち内障子と外障子の召合わせ部分付近の拡大図である。
【図５】図２のうち外障子の枠側縦框及び縦枠付近の拡大図である。
【図６】外障子を構成する框体の室内側から見た正面図である。
【図７】火災発生時における外障子が配置された側の下枠付近拡大図である。
【図８】図７のＡ−Ａ断面図である。
【図９】召合わせ框の加熱発泡材が下枠のうち水平突出面部を有する部分に向かって発泡していく過程を表した下枠付近拡大断面図である。
【図１０】召合わせ框の加熱発泡材が下枠のうち切欠部の部分に向かって発泡していく過程を表した下枠付近拡大断面図である。
【図１１】引き手部の位置における下枠と枠側縦框の拡大断面図である。
【図１２】火災発生時における図１のＡ−Ａ断面図である。
【発明を実施するための形態】
【００２０】
本発明の実施形態について図面に沿って詳細に説明する。図１には本実施形態の開口部
装置としての引き違いサッシの縦断面図を、図２には本実施形態の開口部装置としての引
き違いサッシの横断面図を、それぞれ示している。これら各図に示すように、本実施形態
の開口部装置は、建物開口部に取付けられる枠体１内に内障子２と外障子３とを引き違い
状に納めた引き違いサッシである。
【００２１】
枠体１は、上枠１０と下枠１１及び左右の縦枠１２，１２を方形状に枠組みして形成さ
れている。上枠１０は、内障子２及び外障子３の上面と対向する内周面１０ａに、内障子
２の上辺を案内する上内レール部１０ｂと、外障子３の上辺を案内する上外レール部１０
ｃとが、それぞれ突出状に形成されている。
【００２２】
下枠１１は、内障子２及び外障子３の下面と対向する内周面１１ａに、内障子２の下辺
を案内する内レール部１１ｂと、外障子３の下辺を案内する外レール部１１ｃとが、それ
ぞれ突出状に形成されている。
【００２３】
内障子２が配置される側の縦枠１２は、内障子２の縦方向の側面と対向する内周面１２
ａに、内障子２側に向かって突出するフィン部１２ｂを有している。また、外障子３が配
置される側の縦枠１２は、外障子３の縦方向の側面と対向する内周面１２ａに、外障子３
側に向かって突出するフィン部１２ｂと、フィン部１２ｂよりも室内側に形成される突片
１２ｃとを有している。突片１２ｃには長手方向に沿って気密材１２ｄが保持され、外障
子３の室内側面に対し当接する。
【００２４】
内障子２と外障子３は、上框２０と下框２１、枠側縦框２２及び召合わせ框２３を框組
みしてなる框体４内に複層ガラス板からなるパネル体５を納めて構成されている。上框２
０は、上枠１０と対向する上端部に、上内レール部１０ｂまたは上外レール部１０ｃを飲
み込む案内凹部２０ａが形成されている。案内凹部２０ａの開口部分両側には、それぞれ
気密材２０ｂ，２０ｂが設けられており、これらが上内レール部１０ｂまたは上外レール
部１０ｃの室内外面にそれぞれ当接し、障子上辺における気密性を確保するようにしてい
る。また、案内凹部２０ａの底壁部分には、長手方向に沿って加熱発泡材２０ｃが配置さ
れている。
【００２５】
下框２１は、下端部に樹脂製の戸車２１ｅを備え、この戸車２１ｅが内レール部１１ｂ
または外レール部１１ｃに載置され、内障子２や外障子３を下枠１１の長手方向に沿って
走行自在となるようにしている。図３には、図１のうち下枠１１及び下框２１付近の拡大
図を示している。
【００２６】
図３に示すように、下框２１の室内側面は、下方に垂下された室内垂下片部２１ａを有
し、下框２１の室外側面は、下方に垂下された室外垂下片部２１ｂを有している。下枠１
１に形成された内レール部１１ｂには、上下中間位置に室外側に向かって突出する水平突
出面部１１ｄが長手方向に沿って形成されており、その先端部には気密材１１ｇが保持さ
れて外障子３を構成する下框２１の室内垂下片部２１ａに対して当接する。下枠１１には
、水平突出面部１１ｄと内レール部１１ｂ及び内周面１１ａによって、外障子３側に向か
って開口した凹状のポケット部１１ｆが形成されている。また、下枠１１の室内側面には
、内障子２の室内垂下片部２１ａに対向する位置に気密材１１ｇが設けられ、内障子２の
室内側面に対して当接する。
【００２７】
外障子３を構成する下框２１には、室内垂下片部２１ａと室外垂下片部２１ｂの間の下
端部付近に引き寄せ部品２１ｆが取付けられている。引き寄せ部品２１ｆは、段状に形成
された引き寄せ部２１ｇを有し、引き寄せ部２１ｇが内レール部１１ｂの上端部と対向し
ている。引き寄せ部品２１ｆの下端部は、室内側に向かって略Ｌ字状に屈曲し、室内垂下
片部２１ａの室内側で外れ止め部２１ｈを支持している。外れ止め部２１ｈは、外障子３
が持ち上がった際に下枠１１の水平突出面部１１ｄに対して当接することにより、外障子
３がそれ以上持ち上がらないようにして、外障子３が枠体１から外れることを防止するこ
とができる。
【００２８】
外障子３を構成する下框２１の室内垂下片部２１ａは、下枠１１のポケット部１１ｆの
開口付近に配置されており、下枠１１を構成する内レール部１１ｂの室外側面と対向する
外面に対向面部２１ｃを有している。この対向面部２１ｃには加熱発泡材２１ｄが長手方
向に沿って配置されている。加熱発泡材２１ｄを保持するため、室内垂下片部２１ａには
爪状の保持部２１ｋが形成されている。保持部２１ｋは、下框２１のうち下枠１１の気密
材１１ｇが当接する面よりも室外側に窪んだ領域に形成されていて、加熱発泡材２１ｄの
上下端部をそれぞれ保持可能となっている。内障子２と外障子３の各下框２１の室外垂下
片部２１ｂには、戸車２１ｅと対向する内面側に、加熱発泡材２１ｉが長手方向に沿って
配置されている。
【００２９】
図４には、図２のうち内障子２と外障子３の召合わせ部分付近の拡大図を示している。
内障子２の召合わせ框２３と外障子３の召合わせ框２３は、室内外に対向するように配置
される。各召合わせ框２３は、それぞれ対向する面に略Ｌ字状の煙返し部２３ｃを有し、
煙返し部２３ｃは内障子２と外障子３が閉じた状態で、互いに噛み合う、あるいは近接し
合う。また、内障子２の召合わせ框２３には、室外側面に長手方向に沿って気密材２３ｄ
が設けられており、これが外障子３の召合わせ框２３に対して当接することにより、召合
わせ部分における縦辺の気密性を確保している。
【００３０】
外障子３を構成する召合わせ框２３は、向かい合う内障子２の召合わせ框２３に対向す
る縦対向面部２３ａを有し、この縦対向面部２３ａには長手方向に沿って加熱発泡材２３
ｂが配置されている。加熱発泡材２３ｂを保持するため、召合わせ框２３には凹状の保持
部２３ｅが形成されている。
【００３１】
図５には、図２のうち外障子３の枠側縦框２２及び縦枠１２付近の拡大図を示している
。枠側縦框２２は、縦枠１２に形成されるフィン部１２ｂを飲み込む凹部２２ａを外周側
に有している。また、凹部２２ａの内周側には、長手方向に沿って中空部２２ｃを有して
いる。
【００３２】
枠側縦框２２の凹部２２ａを構成する両側壁は、縦枠１２のフィン部１２ｂと対向する
縦対向面部２２ｂ，２２ｂを有している。これらの縦対向面部２２ｂには、それぞれ長手
方向に沿って加熱発泡材２２ｄが配置される。縦対向面部２２ｂには、加熱発泡材２２ｄ
を保持するため凹状の保持部２２ｅが形成されている。
【００３３】
図６には、外障子３を構成する框体４の室内側から見た正面図を示している。框体４は
、縦辺を構成する枠側縦框２２と召合わせ框２３の上下端部の側面に対して、上框２０と
下框２１の両端面がそれぞれ突き当てられ、連結されることで框組みされている。
【００３４】
上框２０の加熱発泡材２０ｃは、上框２０の長手方向略全長に渡って設けられている。
下框２１の加熱発泡材２１ｄ，２１ｉも、それぞれ下框２１の長手方向略全長に渡って設
けられている。召合わせ框２３の加熱発泡材２３ｂは、召合わせ框２３の長手方向略全長
に渡って設けられ、その下端部は、下框２１の対向面部２１ｃに設けられた加熱発泡材２
１ｄの水平方向延長位置に隣接するように配置される。枠側縦框２２の加熱発泡材２２ｄ
は、枠側縦框２２の長手方向略全長に渡って設けられ、その下端部は、下框２１の対向面
部２１ｃに設けられた加熱発泡材２１ｄの水平方向延長位置に配置されている。
【００３５】
上枠１０の上内レール部１０ｂと上外レール部１０ｃの間であって内外障子２，３の召
合わせ部分の領域には、風止部材１３が設けられる。風止部材１３は、内障子２と外障子
３の召合わせ部分における上面に当接して、召合わせ部分上端部の気密をなすブロック状
の部材である。図６には風止部材１３が表されており、この風止部材１３には内障子２と
外障子３の各上面に対向するように加熱発泡材１３ａが設けられている。
【００３６】
枠側縦框２２の上端部には、樹脂製の上振止部品２４が設けられる。上振止部品２４は
、枠側縦框２２の中空部２２ｃに挿入される挿入部２４ａを備えている。挿入部２４ａに
は上外レール部１０ｃに対して摺接する凹状の案内部２４ｂが形成されている（図６参照
）。上振止部品２４には、挿入部２４ａに加熱発泡材２４ｃが配置されている。
【００３７】
このように加熱発泡材を配置した引き違いサッシにおいて、火災発生時には、内障子２
と外障子３の框体４を構成する各框材は熱伸びを生じて枠体１側に接近し、また、框体４
に用いられている樹脂部品は溶融する。このとき、框体４の各所に設けられた加熱発泡材
は、発泡して体積が増加し、枠体１と框体４の間の隙間を塞いで室内外が連通しないよう
にする。
【００３８】
図７には、火災発生時における外障子３が配置された側の下枠１１付近拡大図を示して
いる。この図に示すように、火災が発生して引き違いサッシが高温に晒されると、枠側縦
框２２及び召合わせ框２３の熱伸びや戸車の溶融等によって、下框２１は下枠１１の内周
面１１ａ側に移動する。このとき、下框２１に設けられた引き寄せ部品２１ｆの引き寄せ
部２１ｇが、下枠１１の外レール部１１ｃに当接する。引き寄せ部２１ｇは傾斜面状に形
成されていることにより、下框２１は室内側に引き寄せられる。これによって、下框２１
が反ることにより室外側に移動し、下枠１１と下框２１の間に隙間を生じないようにして
いる。
【００３９】
下框２１の対向面部２１ｃに設けられた加熱発泡材２１ｄは室内側に向かって面してい
るため、室内側に向かって発泡する。対向面部２１ｃは下枠１１の内レール部１１ｂの下
部と対向し、さらに内レール部１１ｂの下部は、ポケット部１１ｆの開口と反対側の底壁
を構成しているから、発泡した加熱発泡材２１ｄはポケット部１１ｆ内を充填する。これ
によって、下框２１の室内垂下片部２１ａと下枠１１の間が閉塞される。
【００４０】
下框２１の室外垂下片部２１ｂに設けられた加熱発泡材２１ｉは、対向する戸車２１ｅ
側に向かって発泡する。戸車２１ｅは樹脂材からなるため、火災時には溶融する。この溶
融した樹脂材を、加熱発泡材２１ｉは室内側に押し出していく。これによって、戸車溶融
樹脂２５を外レール部１１ｃより室内側に寄せ、室外側に漏れ出して発火することを防止
できる。
【００４１】
また、外レール部１１ｃより室内側に押し出された戸車溶融樹脂２５は、発泡した加熱
発泡材２１ｄによって、室内垂下片部２１ａよりも室内側にも移動できないようにされて
いる。すなわち、戸車溶融樹脂２５は外レール部１１ｃと室内垂下片部２１ａの間の領域
に閉じ込められることになる。このように戸車溶融樹脂２５を下框２１に覆われた空間に
閉じ込めることで、戸車溶融樹脂２５の発火を防止することができると共に、戸車溶融樹
脂２５から発生する可燃ガスが室内側に流れ込まないようにすることができる。
【００４２】
下框２１の室内垂下片部２１ａは、下框２１が下枠１１の内周面１１ａ側に移動した図
７の状態において、下端部が下枠１１の内周面１１ａとは離隔している。室内垂下片部２
１ａがこのような長さに設定されていることにより、室内垂下片部２１ａの下端部を回り
込むように外れ止め部２１ｈを設けることができる。室内垂下片部２１ａが下枠１１の内
周面１１ａに接する長さを有している場合、外れ止め部２１ｈを下框２１の室内側に配置
するためには、室内垂下片部２１ａに切欠加工を施し、該切欠に外れ止め部２１ｈを挿通
する必要があるが、本実施形態のように構成することで、下框２１に対する切欠加工を不
要とすることができる。
【００４３】
その一方で、外れ止め部２１ｈは、見付方向に沿って所定間隔で配置されるピース状の
部材であるため、外れ止め部２１ｈが配置された部分以外においては、室内垂下片部２１
ａと下枠１１の内周面１１ａとの間に隙間が生じるが、対向面部２１ｃに設けられた加熱
発泡材２１ｄによって室内垂下片部２１ａより室内側が充填されているため、この隙間は
室内側と連通しない。すなわち、外レール部１１ｃと室内垂下片部２１ａの間の領域が密
閉された状態となって、戸車溶融樹脂２５が室内側に漏れ出すことがないようにしている
。
【００４４】
図８には図７のＡ−Ａ断面図を示している。この図に示すように、下框２１の室内垂下
片部２１ａに設けられる加熱発泡材２１ｄは、下框２１の室内側だけでなく、枠側縦框２
２の室内側の領域にも回り込んで充填する。下枠１１の水平突出面部１１ｄには、召合わ
せ部分付近に水抜きのための切欠部１１ｅが形成されていて、この部分で分断されている
。
【００４５】
框体４の縦辺では、枠側縦框２２の縦対向面部２２ｂに設けられる加熱発泡材２２ｄが
、対向する縦枠１２のフィン部１２ｂに向かって発泡し、枠側縦框２２と縦枠１２の間の
隙間を充填する。図６に示されているように、枠側縦框２２の加熱発泡材２２ｄは下端部
が下框２１の加熱発泡材２１ｄの水平方向延長位置にあるので、両者は下端部で連続し、
框体４のコーナー部分において連続的に隙間を閉塞することができる。
【００４６】
縦枠１２に設けられる気密材１２ｄは火災時には失われるが、枠側縦框２２の室内側に
回り込んだ下框２１の加熱発泡材２１ｄと枠側縦框２２の加熱発泡材２２ｄとが連続状と
なることにより、枠体１と枠側縦框２２との間の隙間は連続的に閉塞されるので、室内外
の連通を防止することができる。なお、枠側縦框２２の加熱発泡材２２ｄに代えて、ある
いは併用して気密材１２ｄを高温時に焼結する材料で形成してもよい。この場合には、火
災時にも気密材１２ｄが硬化して残り、縦枠１２と枠側縦框２２の間の隙間を閉塞した状
態を維持することができる。
【００４７】
召合わせ框２３の縦対向面部２３ａに設けられる加熱発泡材２３ｂは、下端部において
対向する下枠１１の内レール部１１ｂに向かって発泡する。召合わせ框２３の加熱発泡材
２３ｂは、下端部が下框２１の加熱発泡材２１ｄの水平方向延長位置であって隣接した位
置にあるので、両者は下端部で連続し、框体４のコーナー部分において連続的に隙間を閉
塞することができる。
【００４８】
このように、下框２１に設けられる加熱発泡材２１ｄと召合わせ框２３の加熱発泡材２
３ｂとが同じ見込面内に配置され、召合わせ框２３の加熱発泡材２３ｂが下框２１の加熱
発泡材２１ｄの水平方向延長位置に配置されていることにより、火災時には両者が連続し
て、框体４と下枠１１との間の隙間を閉塞することができるため、框体４のコーナー部分
に加熱発泡材を有したコーナー部品などを設ける必要がないようにすることができる。
【００４９】
召合わせ框２３の加熱発泡材２３ｂは、下枠１１に形成される水平突出面部１１ｄの切
欠部１１ｅに対して、一部が室内外方向で向かい合うように配置されている。このため、
框体４の下端部において、下框２１の加熱発泡材２１ｄと召合わせ框２３の加熱発泡材２
３ｂとは、切欠部１１ｅ内に境目が形成される。
【００５０】
図９には、召合わせ框２３の加熱発泡材２３ｂが下枠１１のうち水平突出面部１１ｄを
有する部分に向かって発泡していく過程を表した下枠１１付近拡大断面図を示している。
図９（ａ）は、召合わせ框２３の加熱発泡材２３ｂが発泡を開始した直後の状態である。
加熱発泡材２３ｂは、室内側に向かって面しているので、発泡を開始すると室内側に向か
って体積を膨張させていく。
【００５１】
図９（ｂ）に示すように、加熱発泡材２３ｂの発泡が進むと、加熱発泡材２３ｂの先端
部は下枠１１の内レール部１１ｂに達するが、水平突出面部１１ｄは、室外端部に気密材
１１ｇの保持部があるため、その室内側部分に加熱発泡材２３ｂが室外側から侵入できな
い。
【００５２】
図９（ｃ）に示すように、内レール部１１ｂまで達した加熱発泡材２３ｂが、さらに膨
張することによって、水平突出面部１１ｄが有する気密材１１ｇの保持部より室内側部分
に回り込み、最終的には図９（ｄ）のようにポケット部１１ｆの全体が加熱発泡材２３ｂ
で充填される。このため、下枠１１のうち水平突出面部１１ｄを有する部分については、
加熱発泡材２３ｂがポケット部１１ｆの全体を充填するのに、ある程度の時間を要するこ
とになる。
【００５３】
図１０には、召合わせ框２３の加熱発泡材２３ｂが下枠１１のうち切欠部１１ｅの部分
に向かって発泡していく過程を表した下枠１１付近拡大断面図を示している。図１０（ａ
）に示すように、切欠部１１ｅの部分では、召合わせ框２３の加熱発泡材２３ｂの発泡方
向に遮るものがないので、加熱発泡材２３ｂは内レール部１１ｂに向かって直接充填され
ていく。そして、図１０（ｂ）に示すように、召合わせ框２３から内レール部１１ｂまで
の領域が充填される。
【００５４】
召合わせ框２３の加熱発泡材２３ｂが、すべて水平突出面部１１ｄと対向していると、
図９のように内レール部１１ｂまでの領域の全体を充填するのに時間を要するため、室外
側から加熱された場合に、火災発生の初期には、加熱面側と非加熱面側とが連通した状態
が維持されてしまい、可燃ガスが非加熱面側に流れ込む可能性があった。これに対し、召
合わせ框２３の加熱発泡材２３ｂの一部が切欠部１１ｅと向かい合うように配置されてい
ることにより、火災発生時における早期に、加熱面側と非加熱面側とを閉塞し、加熱面側
でのフラッシュ現象により発生した可燃ガスが、召合わせ下部の隙間を連通し、非加熱面
側で発火することを確実に防止することができる。すなわち、より安定的な防火性能確保
を図ることができる。
【００５５】
図２に示されているように、外障子３を構成する枠側縦框２２の室内側面には、凹状の
引き手部２２ｆが長手方向に沿って形成されている。引き手部２２ｆの下端部には、下枠
１１の気密材１１ｇによる気密ラインを連続させるため、引き手部２２ｆを埋めるように
ブロック状の樹脂部品が設けられる。火災発生時には樹脂部品は溶融して失われるため、
そのままでは引き手部２２ｆの下端部に隙間を生じて室内外を連通させてしまうことにな
る。
【００５６】
図１１には、引き手部２２ｆの位置における下枠１１と枠側縦框２２の拡大断面図を示
している。この図に示すように、下框２１の対向面部２１ｃに設けられる加熱発泡材２１
ｄは、下枠１１の長手方向端部付近のポケット部１１ｆも充填し、さらにそれと対向する
枠側縦框２２の引き手部２２ｆも充填する。これにより、樹脂部品が失われた引き手部２
２ｆを閉塞し、室内外が連通しないようにすることができる。
【００５７】
図１２には、火災発生時における図１のＡ−Ａ断面図を示している。火災時には、上框
２０の気密材２０ｂは失われるが、上框２０に設けられた加熱発泡材２０ｃが発泡して案
内凹部２０ａを充填し、上内レール部１０ｂや上外レール部１０ｃと上框２０との間の隙
間を閉塞する。また、枠側縦框２２の中空部２２ｃは、上振止部品２４に設けられていた
加熱発泡材２４ｃによって閉塞される。なお、上框２０の気密材２０ｂについて、高温時
に焼結する材料で形成してもよい。この場合には、火災時にも上框２０の気密材２０ｂが
硬化して残り、上框２０と上枠１０の間の隙間を閉塞した状態を維持することができる。
【００５８】
召合わせ部分においては、前述のように外障子３の召合わせ框２３に設けられた加熱発
泡材２３ｂが、対向する内障子２の召合わせ框２３に向かって発泡し、長手方向に沿って
これらの間を閉塞する。また、上端部においては、風止部材１３に保持されていた加熱発
泡材１３ａが、内障子２と外障子３の召合わせ框２３に向かって発泡し、これらの間を塞
ぐことができる。
【００５９】
また、火災時には召合わせ框２３に設けられる気密材２３ｄも失われるが、気密材２３
ｄを高温時に焼結する材料で形成してもよい。この場合には、火災時にも気密材２３ｄが
硬化して残り、召合わせ框２３間の隙間を閉塞することができるので、加熱発泡材２３ｂ
のうち内レール部１１ｂと対向する下端部以外について、これを不要とすることもできる
。
【００６０】
このように、本実施形態においては外障子３を構成する框体４について、上下左右の全
周に渡って連続的に、枠体１との間の隙間や框体４に生じる隙間を閉塞することができ、
熱や炎あるいは可燃ガスが室内外に連通することを防止して、防火性能を高くすることが
できる。
【００６１】
本実施形態では、下框２１の対向面部２１ｃに加熱発泡材２１ｄが配置され、召合わせ
框２３の縦対向面部２３ａに配置される加熱発泡材２３ｂは、少なくとも一部が下框２１
の加熱発泡材２１ｄの水平方向延長位置に配置されると共に、下枠１１の切欠部１１ｅに
対向しているが、下框２１の対向面部２１ｃには加熱発泡材を配置せず、召合わせ框２３
の加熱発泡材２３ｂが、切欠部１１ｅに対向する配置とするだけでもよい。
【００６２】
以上、本発明の実施形態について説明したが、本発明の適用は本実施形態には限られず
、その技術的思想の範囲内において様々に適用されうるものである。
【符号の説明】
【００６３】
１    枠体
２    内障子
３    外障子
４    框体
５    パネル体
１０    上枠
１１    下枠
１１ｂ  内レール部
１１ｃ  外レール部
１１ｄ  水平突出面部
１１ｅ  切欠部
１１ｆ  ポケット部
１１ｇ  気密材
１２    縦枠
２０    上框
２０ａ  案内凹部
２０ｂ  気密材
２０ｃ  加熱発泡材
２１    下框
２１ａ  室内垂下片部
２１ｂ  室外垂下片部
２１ｃ  対向面部
２１ｄ  加熱発泡材
２１ｅ  戸車
２１ｉ  加熱発泡材
２２    枠側縦框
２２ｂ  縦対向面部
２２ｄ  加熱発泡材
２３    召合わせ框
２３ａ  縦対向面部
２３ｂ  加熱発泡材
【図１】
2014134022.tif 000003
【図２】
2014134022.tif 000004
【図３】
2014134022.tif 000005
【図４】
2014134022.tif 000006
【図５】
2014134022.tif 000007
【図６】
2014134022.tif 000008
【図７】
2014134022.tif 000009
【図８】
2014134022.tif 000010
【図９】
2014134022.tif 000011
【図１０】
2014134022.tif 000012
【図１１】
2014134022.tif 000013
【図１２】
2014134022.tif 000014